(57)【要約】【課題】  メダル通路内でＬＥＤなどの発光体を点滅させることによって不正にメダルを獲得しようとするゴト行為を防止する。【解決手段】  第１メダル通路４４の壁部４４ｄに貫通孔４４ｆを形成する。貫通孔４４ｆの縁に回動片５２を設ける。回動片５２は、軸部５２ａを中心にして、貫通孔４４ｆから第１メダル通路４４の内側方向に突出している第１可動部５２ｂと、貫通孔４４ｆから裏面部４４ｇに突出している第２可動部５２ｃと、第２可動部５２ｃの先端に形成されている反射板５２ｄとから構成されている。壁部４４ｄの裏面側４４ｇに第２可動部５２ｃの移動を検出するための第２可動部センサ５４を設ける。第１可動部５２ｂが第１位置から第２位置に変位すると、これに伴って第２可動部５２ｃが移動する。第２可動部５２ｃが移動すると、第２可動部センサ５４の投光部の光路が反射板５２ｄで遮蔽される。【選択図】        図４
2005270123.tif 000002
【特許請求の範囲】
【請求項１】
メダルが投入されるメダル投入口と、
前記メダル投入口よりも下方に位置し、前記メダルを貯留する貯留タンクと、
前記メダル投入口から前記貯留タンクに向けて連設され、前記メダル投入口から投入された前記メダルを流下させる台座部、及び前記台座部に立設されている壁部を備えたメダル通路と、
前記メダル通路を流下する前記メダルを検出するメダル検出手段とを備えた遊技機において、
前記メダル通路に孔部を設け、  
前記孔部から前記メダル通路の内側方向に突出し、前記メダル通路を流下する前記メダルに接触する第１位置と、前記メダル通路を流下する前記メダルと接触することにより前記第１位置から前記メダル通路の外側方向に退避する第２位置との間で移動自在である第１可動部、及び前記第１可動部の移動に伴って前記台座部及び前記壁部の少なくともいずれか一方の裏面部で移動する第２可動部を有する移動部材と、
前記第１可動部を前記第２位置から前記第１位置に向けて付勢する付勢部材と、
発光素子及び受光素子を備えており、前記第２可動部の移動を検出する第２可動部検出手段と、
前記メダル通路内で光が発せられた場合、前記光を前記受光素子が受光しないように遮断する遮断手段とを設けたことを特徴とする遊技機。
【請求項２】
前記移動部材を、前記メダル通路の上流側から下流側にかけた方向、または前記メダルが前記メダル通路を流下する方向と直交する方向に複数設けたことを特徴とする請求項１記載の遊技機。
【発明の詳細な説明】
【技術分野】
【０００１】
本発明は、メダルが不正に投入されることを防止する遊技機に関するものである。
【背景技術】
【０００２】
スロットマシンでは、一般的にメダル投入口から１〜３枚のメダルを投入して遊技を実行するようになっている。投入されたメダルは、スロットマシン内に設けられたメダルセレクタのメダル通路（案内通路）を転動して、貯留タンクに貯留される。その際に、メダル通路に所定の間隔を空けて配置された２つの光電センサからなるメダル検出器（メダル検出手段）によって、メダルをメダルの通過方向に従って順次に検出することで、メダルの枚数の計数を行っている。
【発明の開示】
【発明が解決しようとする課題】
【０００３】
ところで、遊技を行う際に、正規に遊技を行う行為とは異なる不正な行為を行うことによってスロットマシンを誤動作させ、メダルの投入を行う、あるいは、メダルの払い出しを行わせるなどの、いわゆるゴト行為が行われることがある。ゴト行為によってスロットマシンを誤動作させてメダルの払い出しを行わせる方法としては、例えば、実際にメダルを投入せずに、セルロイドなどで形成された長い薄板をメダル投入口から挿入し、薄板を素早く往復移動させることによって光電センサの検出を行わせる方法がある。また、最近では、赤外光ＬＥＤを搭載したフレキシブル基板をメダル投入口から挿入し、赤外光ＬＥＤを点滅させることによって光電センサの検出を行わせる方法が流行している。この方法は、メダル通路より幅が狭いフレキシブル基板をメダル投入口からメダル通路に挿入し、光電センサが設置されている箇所、具体的には光電センサの受光部に赤外光ＬＥＤを配置し、光電センサがメダルの検出を行うタイミングで赤外光ＬＥＤを点滅させることによって光電センサの検出を行わせるという方法である。
【０００４】
本発明は、上記課題を解決するためになされたものであり、ＬＥＤなどの発光体を点滅させることによって不正にメダルを獲得しようとするゴト行為を防止することができる遊技機を提供することを目的とする。
【課題を解決するための手段】
【０００５】
上記目的を達成するために、本発明の遊技機は、メダルが投入されるメダル投入口と、前記メダル投入口よりも下方に位置し、前記メダルを貯留する貯留タンクと、前記メダル投入口から前記貯留タンクに向けて連設され、前記メダル投入口から投入された前記メダルを流下させる台座部、及び前記台座部に立設されている壁部を備えたメダル通路と、前記メダル通路を流下する前記メダルを検出するメダル検出手段とを備えたものであり、前記メダル通路に孔部を設け、前記孔部から前記メダル通路の内側方向に突出し、前記メダル通路を流下する前記メダルに接触する第１位置と、前記メダル通路を流下する前記メダルと接触することにより前記第１位置から前記メダル通路の外側方向に退避する第２位置との間で移動自在である第１可動部、及び前記第１可動部の移動に伴って前記台座部及び前記壁部の少なくともいずれか一方の裏面部で移動する第２可動部を有する移動部材と、前記第１可動部を前記第２位置から前記第１位置に向けて付勢する付勢部材と、発光素子及び受光素子を備えており、前記第２可動部の移動を検出する第２可動部検出手段と、前記メダル通路内で光が発せられた場合、前記光を前記受光素子が受光しないように遮断する遮断手段とを設けたことを特徴とする。
【０００６】
また、前記移動部材を、前記メダル通路の上流側から下流側にかけた方向、または前記メダルが前記メダル通路を流下する方向と直交する方向に複数設けることが好ましい。
【発明の効果】
【０００７】
本発明の遊技機は、メダルが投入されるメダル投入口と、前記メダル投入口よりも下方に位置し、前記メダルを貯留する貯留タンクと、前記メダル投入口から前記貯留タンクに向けて連設され、前記メダル投入口から投入された前記メダルを流下させる台座部、及び前記台座部に立設されている壁部を備えたメダル通路と、前記メダル通路を流下する前記メダルを検出するメダル検出手段とを備えたものであり、前記メダル通路に孔部を設け、前記孔部から前記メダル通路の内側方向に突出し、前記メダル通路を流下する前記メダルに接触する第１位置と、前記メダル通路を流下する前記メダルと接触することにより前記第１位置から前記メダル通路の外側方向に退避する第２位置との間で移動自在である第１可動部、及び前記第１可動部の移動に伴って前記台座部及び前記壁部の少なくともいずれか一方の裏面部で移動する第２可動部を有する移動部材と、前記第１可動部を前記第２位置から前記第１位置に向けて付勢する付勢部材と、発光素子及び受光素子を備えており、前記第２可動部の移動を検出する第２可動部検出手段と、前記メダル通路内で光が発せられた場合、前記光を前記受光素子が受光しないように遮断する遮断手段とを設けることにより、メダル通路内でＬＥＤなどの発光体を発光させても該発光体から発せられる光が受光素子で受光されないようにしたので、ＬＥＤなどの発光体をメダル通路内に侵入させて発光体を点滅させることで、あたかもメダルがメダル通路を通過したかのように光電センサを誤認識させるゴト行為を確実に防止することができる。
【０００８】
また、前記移動部材を、前記メダル通路の上流側から下流側にかけた方向、または前記メダルが前記メダル通路を流下する方向と直交する方向に複数設けたので、メダル通路内にセルロイド板やフレキシブル基板などの異物を挿入することによって行われるゴト行為をより一層確実に防止することができる。特にセルロイド板を用いたゴト行為では、セルロイド板に往復移動以外の動きを加えなければならないため、ゴト行為を行う際の手順が複雑になり、これによりゴト行為を抑止することができる。
【発明を実施するための最良の形態】
【０００９】
以下、本発明の第１の実施形態を図面を参照して説明する。図１に示すように、スロットマシン１０の前面には、表示窓１１が設けられた前面扉１２が設けられている。表示窓１１の奥には、第１〜第３リール１３ａ〜１３ｃが回転自在に組み込まれたリールユニット２６（図２参照）が配設されている。表示窓１１の下方の部分には、ＭＡＸベットボタン１５、１ベットボタン１６、ストップボタン１７ａ〜１７ｃ、スタートレバー１８、ペイアウトボタン１９等の各種の操作ボタンの他に、メダル２９（図２参照）を投入するメダル投入口２０が設けられている。なお、上記操作ボタンの機能については周知であるため、説明を省略する。前面扉１２の下部には、スロットマシン１０で遊技を行って当選役が入賞した場合に、メダル２９の払い出しを行うためのメダル払出し口２２及びメダル受け皿２３と、遊技中に音楽や音声を発するスピーカ２４が設けられている。
【００１０】
第１〜第３リール１３ａ〜１３ｃの外周には複数種類の絵柄が一定ピッチで配列され、第１〜第３リール１３ａ〜１３ｃが停止した状態では、表示窓１１を通して１リール当たり３個の絵柄が観察可能となる。これにより、各リールの絵柄を１個ずつ組み合わせた直線状の入賞有効ラインが横３本、斜め２本の合計５本が設定される。遊技開始に先立ってメダル投入口２０から１枚のメダル２９を投入したときには、中央横１本の入賞有効ラインが有効化され、２枚では横３本、３枚ではさらに斜め２本を加えた５本の入賞有効ラインが有効化される。
【００１１】
スロットマシン１０では５０枚を限度に適正なメダル２９（図２参照）をクレジット（貯留）することが可能になっている。表示窓の下方には貯留されているメダルの枚数が表示されるクレジット枚数表示窓１３が設けられている。クレジット枚数表示窓１３の奥には、クレジット枚数表示窓１３を通してクレジットされているメダル２９の枚数を表示させるクレジット枚数表示装置６７（図６参照）が設けられている。クレジットされるメダル２９の最大枚数は５０枚であるので、クレジット枚数表示窓１３には０〜５０の数値が表示されるようになっている。クレジット枚数表示窓１３の側方にはエラー表示窓１４が設けられている。エラー表示窓１４の奥には、エラー表示窓１４を通してエラーコードを表示させるエラーコード表示装置６８（図６参照）が設けられている。機械動作、遊技動作に異常がある場合等には、エラー表示窓１４を通して異常に応じたエラーコードが表示されるようになっている。
【００１２】
図２に示すように、筐体１０ａ内には、後述するＣＰＵ６１（図６参照）が組み込まれているメイン基板２５、リールユニット２６、電源ボックス２７、貯留タンク２８等が設けられている。メイン基板２５は、透明なプラスチックで形成された基板ケースに封入されて開放不能となっている。これにより、メイン基板２５に不正な改造が施されることを防止している。リールユニット２６は、第１〜第３リール１３ａ〜１３ｃと図示しない各リールに対応したステッピングモータ、バックランプ、第１〜第３リール１３ａ〜１３ｃの回転角を検出するフォトセンサ等が組み込まれて構成されている。バックランプは第１〜第３リール１３ａ〜１３ｃの内側で、縦方向に３個ずつ配置されており、遊技を行った結果、入賞有効ライン上に当選絵柄が３つ並んで、ビックボーナス（ＢＢ）又はレギュラーボーナス（ＲＢ）が入賞した場合には、表示窓１１に停止表示された当選絵柄を予め設定された特定のパターンで点灯、消灯、点滅させ、遊技者にＢＢ又はＲＢに当選したことを報知する。なお、バックランプの照明による報知は、ＢＢ又はＲＢ以外の当選役が当選されたことの報知や特定の当選役に当選した可能性を示唆する報知などを行うようにしてもよい。
【００１３】
電源ボックス２７には、電源スイッチ３０、設定変更スイッチ３１が設けられている。電源スイッチ３０は、スロットマシン１０の電源のオン／オフが行われ、設定変更スイッチ３１は、６段階のペイアウト率が設定されており、１プッシュごとに順次に可変される。
【００１４】
貯留タンク２８では、メダル投入口２０から投入されたメダルが貯留される。さらに、遊技を行ってメダルの払い出しを伴う当選役が入賞した場合には、ホッパー装置３２が駆動されて、当選役の種類に応じた枚数のメダル２９がメダル出口２８ａから払出し口２２に送り出され、受け皿２３にメダル２９が払い出される。さらに、前面扉１２の裏には、メダル投入口２０の下方にメダルセレクタ３３及びメダル案内部材３４が設けられている。メダルセレクタ３３には通路カバー３５が取り付けられている。
【００１５】
図３に示すように、メダルセレクタ３３は、本体基部４０、振分装置４１、メダル通過検出センサ（メダル検出手段）４２から構成されている。本体基部４０は樹脂で形成されている。本体基部４０には、メダル２９の直径よりも幅がやや広い溝からなる第１メダル通路（案内通路）４４が形成されている。第１メダル通路４４は、メダル投入口２０から投入されたメダル２９の周縁の接触面となりメダル２９を流下させる台座部４４ｃと、台座部４４ｃに立設している本体基部４０の壁部４４ｄと、この壁部４４ｄに対向するように台座部４４ｃに立設しているガイドレール４４ｅとから構成されている。なお、本体基部４０は、図中矢印Ｄに示す方向にやや傾くように前面扉１２に取り付けられているため、流下するメダル２９はガイドレール４４ｅの方向に自重がかかるように構成されている。
【００１６】
メダルセレクタ３３が前面扉１２に取り付けられると、第１メダル通路４４のメダル入口４４ａはメダル投入口２０と連通するようになっており、メダル投入口２０から投入されたメダル２９はメダル入口４４ａから第１メダル通路４４内に侵入する。第１メダル通路４４は、略Ｌ字形に屈曲するように形成されており、メダル入口４４ａから第１メダル通路４４に侵入したメダル２９は、第１メダル通路４４の屈曲した部分を通過すると、その進行方向がメダル２９が第１メダル通路４４内に侵入した方向（図中矢印Ａに示す方向）と略直交した方向（図中矢印Ｂに示す方向）に変化するようになっている。
【００１７】
壁部４４ｄで、メダル入口４４ａから見て第１メダル通路４４の屈曲した部分よりも下流側の第１メダル通路４４（図中矢印Ｂに示す方向にメダル２９が進行する部分）の上方には、振分装置取付部４０ｂが設けられている。振分装置取付部４０ｂは、本体基部４０に形成された略矩形状で凹状の溝からなり、この溝を取り囲む壁面のうちの第１メダル通路４４に臨む壁面は一部が開放されている。振分装置取付部４０ｂには振分装置４１が設けられている。
【００１８】
振分装置４１は、本体基部４０に取り付けられる取り付け板４１ａ、取り付け板４１ａに図中矢印Ｃに示す方向に回動自在に取り付けられる回動板４１ｂ、本体基部４０に取り付けられている回動板４１ｂに励磁作用を与えるソレノイド（図示せず）及び回動板４１ｂを付勢する捩じりバネ（図示せず）から構成されている。
【００１９】
取り付け板４１ａ及び回動板４１ｂは、金属製の薄板で形成されている。取り付け板４１ａは矩形状に形成されており、本体基部４０の振分装置取付部４０ｂの取付面４０ｃと直交して突出するように本体基部４０に取り付けられている。回動板４１ｂは略Ｔ字状に形成されており、取り付け板４１ａの突出方向と直交して振分装置取付部４０ｂの取付面４０ｃ、及び壁部４４ｄと対面するように取り付け板４１ａに回動自在に取り付けられている。回動板４１ｂが取り付け板４１ａに取り付けられると、回動板４１ｂの幅が広い部分であるメダル振り分け部４１ｃの一部は、壁部４４ｄと対向して突出し、振分装置取付部４０ｂの前述した開放部分から第１メダル通路４４内に侵入した後述する通過位置と、第１メダル通路４４内に侵入しない後述する排出位置とに電気的な制御によって変位自在な状態となる。また、メダル振り分け部４１ｃが第１メダル通路４４内に侵入した状態では、メダル振り分け部４１ｃの端縁と、台座部４４ｃとの距離が、メダル２９の直径よりも小さくなるように、回動板４１ｂは取り付けられている。これにより、メダル振り分け部４１ｃは、台座部４４ｃの上を転動するメダル２９の径方向上部面と接触してメダル２９を支持することができるように配置され、投入されたメダル２９は下流に位置する貯留タンク２８へと案内される。
【００２０】
また、回動板４１ｂは、前述したソレノイドの励磁作用とバネの復元力によって、取り付け板４１ｂとの取付部分に設けられた軸を支点に、メダル２９の通過を可能にする通過位置と、メダル振り分け部４１ｃがメダル２９の径方向上部面の支持を中止し、第１メダル通路４４からメダル２９を図中矢印Ｄに示す方向に落下させる排出位置との間で回動される。
【００２１】
メダル２９が投入されると、前述したソレノイドによる励磁作用が働くことで、回動板４１ｂは第１メダル通路４４の壁部４４ｄに向かう方向に付勢されて通過位置にセットされる。これにより、メダル２９が正規の大きさであれば、回動板４１ｂのメダル振り分け部４１ｃによってメダル２９の転動方向が図中矢印Ｂ方向に規制されるので、メダル２９は第１メダル通路４４を通過する。
【００２２】
図２に示すように、通路カバー３５の第１メダル通路４４の回動板４１ｂが設けられている箇所には切り欠き３５ａが形成されている。この切り欠き３５ａから正規の大きさでないメダル２９が払出しシュート３６に排出される。メダル２９が貯留されている枚数が上限枚数である５０枚に達している場合や、遊技を行っている最中（スタートレバー１８を操作して第１〜第３リール１３ａ〜１３ｃが回転してから、全ての第１〜第３リール１３ａ〜１３ｃが停止されるまでの状態）、メダル通過センサ４２やメダルの材質または大きさ等の検知で不正なメダル２９であると判断された場合などには、前述したソレノイドの励磁作用が断たれ、回動板４１ｂはバネの復元力によってメダル２９の径方向上部面を支持する通過位置からメダル２９の径方向上部面を支持しない排出位置にセットされる。これにより支えを失った不正なメダル２９が、通路カバー３５の切り欠き３５ａから図３及び図４の矢印Ｄに示す本体基部４０を傾斜させて取り付ける方向に落下して、払出しシュート３６を介して払出し口２２から払い出される。
【００２３】
なお、第１メダル通路４４の回動板４１ｂが設けられている箇所以外の部分は、通路カバー３５によって塞がれている。そのため、第１メダル通路４４の回動板４１ｂが設けられている箇所以外の部分では投入されたメダル２９が第１メダル通路４４から脱落することはない。
【００２４】
メダル通過センサ４２は、第１メダル通路４４の振分装置４１が設置されている箇所よりも下流側に設けられており、第１メダル通路４４を転動してきたメダル２９を検出する。
【００２５】
メダル通過センサ４２は、第１メダルセンサ４２ａ及び第２メダルセンサ４２ｂから構成されている。第１及び第２メダルセンサ４２ａ，４２ｂは、例えば、投光部と受光部とを一体に備えた反射型の光電センサであって、第１メダル通路４４の壁部４４ｄに取り付けられている。第１及び第２メダルセンサ４２ａ，４２ｂは、メダル２９の進行方向に沿って上流側に第１メダルセンサ４２ａ、下流側に第２メダルセンサ４２ｂが配置されている。
【００２６】
メダル２９が、第１メダルセンサ４２ａや第２メダルセンサ４２ｂを通過した場合（メダル２９が、第１メダルセンサ４２ａや第２メダルセンサ４２ｂの投光部の光路を遮蔽した状態）には、各センサの投光部から投光した光がメダル２９で反射し、反射した光が受光部で受光され、各センサはオンとなる。これにより、メダル２９の検出が開始される。また、メダル２９が、第１メダルセンサ４２ａや第２メダルセンサ４２ｂを通過していない場合（メダル２９が第１メダルセンサ４２ａや第２メダルセンサ４２ｂの投光部の光路を遮蔽していない状態）には、各センサの投光部から投光した光が反射されないため、各センサはオフとなる。これにより、メダル２９の検出が終了される。
【００２７】
第１及び第２メダルセンサ４２ａ，４２ｂの配置についてさらに具体的に説明すると、第１及び第２メダルセンサ４２ａ，４２ｂは、メダル２９が第１メダル通路４４を転動する際に、必ず第１及び第２メダルセンサ４２ａ，４２ｂによりメダル２９を順次に検出できる間隔となるように配置されており、さらに、メダル２９が連続投入（複数枚のメダル２９が連なって第１メダル通路４４を通過するようにメダル投入口２０からメダル２９が投入された状態）された場合にも、１枚のメダル２９を第１及び第２メダルセンサ４２ａ，４２ｂで順次に検出した後に、必ず第１及び第２メダルセンサ４２ａ，４２ｂが一度はオフになってから次のメダル２９を検出できるような位置に配置されている。つまり、図１０に示すように、壁部４４ｄに設けられる第１及び第２メダルセンサ４２ａ，４２ｂは、流下する複数のメダル２９の周面が互いに接触して連なった際のメダル２９の直径高さ内の上下に生じる隙間部４４ｊに収まるように配置され、第１及び第２メダルセンサ４２ａ，４２ｂが一度に２枚以上のメダル２９を検出しないようにしている。
従って、メダル２９の通過に要する予め定められた時間内において、第１メダルセンサ４２ａ、第２メダルセンサ４２ｂの順にメダル２９の検出が行われずに、検出される順番が逆になっている場合には、メダル２９の流下方向と逆流していることとなるため、エラーであると判断することができる。
【００２８】
なお、本実施形態では第１及び第２メダルセンサ４２ａ，４２ｂを反射型の光電センサとしたが、これに限らず、投光部と受光部とを対向して配置し、投光部からの光を受光部に当てて、該光を遮断することによりメダルを検出させる透過型の光電センサを用いても良い。
【００２９】
メダルセレクタ３３の側方には、メダル案内部材３４が隣接して配置されている。第１メダル通路４４を転動してきたメダル２９はメダル案内部材３４によって貯留タンク２８に導かれる。
【００３０】
メダル案内部材３４にはその断面を略コの字形状とした溝からなる第２メダル通路５１が形成されている。第２メダル通路５１は第１メダル通路４４とともに案内通路を構成する。メダル案内部材３４はメダルセレクタ３３に隣接して配置されているため、第２メダル通路５１は第１メダル通路４４と連通する。このため、第１メダル通路４４を転動してきたメダル２９は第２メダル通路５１に進入する。
【００３１】
メダル案内部材３４は第１メダル通路４４内を図中矢印Ｂ方向に転動するメダル２９が第２メダル通路５１でスロットマシン１０の背面側に向かう方向（図中矢印Ｅ方向）に進行方向を変更するように、屈曲して形成されている。そして、前面扉１２が閉じられると、第２メダル通路５１のメダル出口５１ａは貯留タンク２８の上方に位置するようにメダル案内部材３４の長さが設定されている。また、第２メダル通路５１は第１メダル通路４４からメダル２９が侵入する方の端部からメダル出口５１ａにかけて下方に傾斜しており、第１メダル通路４４から第２メダル通路５１に侵入したメダル２９はその傾斜によって第２メダル通路５１を転動する。
【００３２】
図３〜図５に示すように、第１メダル通路４４の壁部４４ｄの、振分装置４１と第１メダルセンサ４２ａとの間には、貫通孔（孔部）４４ｆが形成されている。図４に示すように、貫通孔４４ｆの上流側の縁には回動片（移動部材）５２が設けられている。回動片５２は、軸部５２ａにより貫通孔４４ｆの縁に回動自在に軸着されている。
【００３３】
回動片５２は、軸部５２ａを中心にして、貫通孔４４ｆから第１メダル通路４４の内側方向に突出している第１可動部５２ｂと、第１可動部５２ｂと一体に形成されており、貫通孔４４ｆから第１メダル通路４４の壁部４４ｄの裏面部４４ｇに突出している第２可動部５２ｃと、第２可動部５２ｃの先端に形成されているアルミニウム製の反射板５２ｄとから構成されている。なお、反射板５２ｄは、アルミニウム製に限定する必要はなく、後述する第２可動部センサ５４の投光部からの光を反射させることができる素材で形成されていれば良い。
【００３４】
第１可動部５２ｂは、貫通孔４４ｆから第１メダル通路４４の内側方向に突出し、第１メダル通路４４を図中矢印方向に流下するメダル２９と接触する第１位置と、第１メダル通路４４を流下するメダル２９と接触することにより、図５に示すように、第１位置から第１メダル通路４４の外側方向に退避する第２位置との間で移動自在となっている。第１可動部５２ｂが第１位置から第２位置に変位すると、これに伴って第２可動部５２ｃが裏面部４４ｇで反時計周りに移動する。第２可動部５２ｃが移動すると、後述する第２可動部センサ５４の投光部の光路が反射板５２ｄで遮蔽される。
【００３５】
貫通孔４４ｆの縁で、回動片５２が設けられている箇所とは反対側の箇所には、回動片５２の第１可動部５２ｂを第１メダル通路４４の内側方向に付勢する棒状の付勢部材５３が設けられている。付勢部材５３の端部には回動軸５３ａが設けられている。この回動軸５３ａは貫通孔４４ｆの縁で、壁部４４ｄの裏面部４４ｇ寄りに配置され、貫通孔４４ｆの縁に設けられた図示しない軸穴に嵌入されている。このように付勢部材５３は回動軸５３ａを中心に回動自在となっている。回動軸５３ａには捩じりバネ５４が取り付けられている。捩じりバネ５４は、その輪の部分を回動軸５３ａに挿入し、一端を壁部４４ｄに固着し、他端を付勢部材５３に形成された突起５３ｂに当接させる。これにより付勢部材５３には回動軸５３ａを中心に反時計方向に付勢力が働く。付勢部材５３の回動軸５３ａが設けられている端部とは反対側の端部は第１可動部５２ｂに当接している。このようにして第１可動部５２ｂは付勢部材５３により常に第２位置から第１位置に向けて付勢される。また、貫通孔４４ｆは回動片５２と付勢部材５３とにより塞がれる。
【００３６】
第１メダル通路４４の壁部４４ｄの裏面側４４ｇには第２可動部５２ｃの移動を検出するための第２可動部センサ（第２可動部検出手段）５４が設けられている。第２可動部センサ５４は、受光素子からなる受光部と、発光素子からなる投光部とを一体に備えた反射型の光電センサである。
【００３７】
図４に示すように、メダル２９がまだ回動片５２の第１可動部５２ｂに接触していない状態では、第１可動部５２ｂは付勢部材５３から受ける付勢力によって、第１メダル通路４４の内側方向に突出させた第１位置にある。このとき第２可動部センサ５４の投光部から発せられる光は受光部で受光されないので、第２可動部センサ５４はＯＦＦ状態になっている。
【００３８】
図５に示すように、メダル２９が回動片５２の第１可動部５２ｂに接触した場合、第１可動部５２ｂは第１メダル通路４４を流下するメダル２９によって上方に押され、第１位置から第２位置に回動する。第１可動部５２ｂが第１位置から第２位置に移動すると、これに伴って第２可動部５２ｃが反時計周りに回動する。第２可動部５２ｃが回動して、第２可動部センサ５４の投光部の光路が第２可動部５２ｃの反射板５２ｄによって遮蔽されると、投光部で発光された光が反射板５２ｄで反射する。反射光が受光部で受光されると第２可動部センサ５４はＯＮ状態となる。
【００３９】
メダル２９が第１メダル通路４４の回動片５２が設置されている箇所を通過し終わると、回動片５２は付勢部材５３から受ける付勢力によって時計周りに回動し、図４に示すように、第２位置にあった第１可動部５２ｂが第１位置に戻る。なお、付勢部材５３の付勢力、すなわち、付勢部材５３に取り付けられている捩じりバネ５４から得られる付勢力は、投入されたメダル２９によって回動片５２を第１位置から第２位置に回動させることができ、メダル２９が第１メダル通路４４を通過後には素早く回動片５２の第１可動部５２ｂを第２位置から第１位置に回動させる強さを有している。また、第２可動部センサ５４は、メダル投入口２０から薄いセルロイド板などが挿入されて、回動片５２を第１位置から第２位置に僅かに回動させても、第２可動部５２ｃの移動を検出できる位置に設けられている。
【００４０】
上述したような構成にすることで、第１メダル通路４４内で光が発せられたとしても、その光は、回動片５２、付勢部材５３、及び壁部４４ｄによって遮蔽されるので第２可動部センサ５４で検出されない。このように回動片５３、付勢部材５３、及び壁部４４ｄは遮蔽手段として機能する。
【００４１】
図６に示すように、スロットマシン１０には、このスロットマシン１０の基本的な動作を制御する制御部６０が設けられている。制御部６０は、ＣＰＵ６１と、このＣＰＵ６１が処理するデータが格納されているＲＯＭ６２とワークエリアとしてのＲＡＭ６３、メダルカウンタ６４、クレジット記憶部６５、タイマ６６などが設けられている。
【００４２】
第２可動部センサ５４が第２可動部５２ｃを検出してＯＮ状態になると、第２可動部センサ５４からＣＰＵ６１に第２可動部検出信号が出力される。第１及び第２メダルセンサ４２ａ，４２ｂが第１メダル通路４４を転動するメダル２９を検出すると、各センサからＣＰＵ６１にメダル検出信号が出力される。第２可動部センサ５４からの第２可動部検出信号、第１及び第２メダルセンサ４２ａ，４２ｂから後述するタイマ６６によるメダル２９の通過に要する予め定められた時間内にメダル検出信号が順次にＣＰＵ６１に入力されると、メダルカウンタ６４が作動され、投入されたメダル２９の枚数を１枚ずつ計数する。ＣＰＵ６１は、第１及び第２メダルセンサ４２ａ，４２ｂで検知信号が検知された際に、メダル２９を１枚計数してクレジット記憶部６５に記憶させる。クレジット記憶部６５に記憶されているメダル枚数は、クレジット枚数表示装置６７によってクレジット枚数表示窓１３を通して表示される。
【００４３】
このように、投入されたメダル枚数は、前記時間内における第２可動部センサ５４、第１及び第２メダルセンサ４２ａ，４２ｂの順番で行われる検知信号の入力に基づき１枚ずつ計数され、クレジット記憶部６５に加算して記憶される。また、ＣＰＵ６１は、ＭＡＸベットボタン１５又は１ベットボタン１６の押下により出力されるクレジット投入信号に基づいて、例えば、１枚から３枚のメダル２９をクレジット記憶部６５に記憶されたメダル枚数から減算し、減算されたメダル２９をベットしてゲームを実行可能にする。
【００４４】
スタートレバー１８が押下操作されると、ＣＰＵ６１に遊技の開始を示す遊技開始信号が出力される。これに応答してこれに応答してＣＰＵ６１はリール駆動コントローラ７０を作動し、リールユニット２６の第１〜第３リール１３ａ〜１３ｃを回転させることで遊技を開始する。遊技者がストップボタン１７ａ〜１７ｃを押下すると、ＣＰＵ６１及びリール駆動コントローラ７０は第１〜第３リール１３ａ〜１３ｃの停止制御を行う。
【００４５】
ペイアウトボタン１９は、クレジット記憶部６５に記憶されたメダル２９を払い出すものである。メダルカウンタ６４で計数され、クレジット記憶部６５にメダル２９が記憶されている状態で、ペイアウトボタン１９が押下されると、ＣＰＵ６１は払出し部７１に信号を送り、クレジット記憶部６５に記憶されているメダル枚数に応じた貯留メダルが、すべて貯留タンク２８からホッパー装置３２によって払出し口２２に払い出される。
【００４６】
タイマ６６は、第２可動部センサ５４が第２可動部５２ｃを継続して検出している時間を計測するためのものである。第２可動部５２ｃが第２可動部センサ５４によって検出されると、第２可動部センサ５４が第２可動部５２ｃを検出している間、継続してＣＰＵ６１に第２可動部検出信号が出力される。ＣＰＵ６１はタイマ６６に第２可動部検出信号が継続して出力されている時間を計測させる。第２可動部センサ５４がＯＦＦ状態になると、第２可動部センサ５４は第２可動部検出信号の出力を停止する。第２可動部検出信号の出力が停止されると、ＣＰＵ６１はタイマ６６の計時を停止させてリセットを行う。
【００４７】
ＣＰＵ６１では、ＲＯＭ６２に記憶されている予め定められた時間と、タイマ６６によって計測されている時間との比較が行われ、タイマ６６によって計測されている時間が予め定められた時間を経過したか否かが判定される。ＲＯＭ６２に記憶されている予め定められた時間としては、メダル２９の連続投入を行い、連続投入されたメダル２９が第１メダル通路４４を通過する時間を予め計測しておき、この計測時間に基づいて決定することが好ましい。例えば、１０枚のメダル２９を連続して投入した時に、これらのメダル２９全てが第１メダル通路４４を通過するのに要する時間が１秒だとすると、１秒よりも僅かに長い時間の２〜３秒に設定すると良い。なお、本実施形態では、連続投入されたメダル２９の枚数を１０枚とし、これら全てが第１メダル通路４４を通過するのに要する時間を１秒としたが、連続投入されるメダル２９の枚数や第１メダル通路４４を通過するのに要する時間は適宜に決定され、これに限定されるものではない。
【００４８】
ＣＰＵ６１が、タイマ６６によって計測されている時間が予め定められた時間を経過していないと判定した場合、正規にメダル２９が投入されたとして、ＣＰＵ６１はゲームの実行を可能にする処理を行う。また、ＣＰＵ６１が、タイマ６６によって計測されている時間が予め定められた時間を経過したと判定した場合、メダル投入口２０から正規にメダル２９が投入された場合とは異なり、セルロイド板などの不正器具が第１メダル通路４４内に侵入している可能性があるとして、ＣＰＵ６１はエラー処理を行う。具体的には、ＣＰＵ６１からスピーカ２４及びエラー表示装置６８に異常信号が出力される。この異常信号を受けて、スピーカ２４は警告音を発し、エラー表示装置は不正行為が行われている可能性があることを報知するエラーコードをエラー表示窓１４を通して表示させる。さらに、ＣＰＵ６１は、ホッパー装置３２の動作を停止させるとともに、メダル２９のベットを不能にして遊技を強制的に中止させる。
【００４９】
なお、遊技を中止させた後、再び遊技の実行を可能にするためのリセットボタン（不図示）は、筺体１０ａの奥に設置されており、リセットボタンを操作しない限り、遊技の有効化が行われないようになっている。
【００５０】
次に、上記構成によるスロットマシン１０の作用について説明する。メダル投入口２０からメダル２９が投入され、貯留タンク２８に案内される際に、第１メダル通路４４を通過するメダル２９が、第１メダル通路４４内に突出している回動片５２の第１可動部５２ｂに接触し、第１可動部５２ｂが第１位置から第２位置に回動する。この回動に伴って第２可動部５２ｃが回動する。第２可動部５２ｃが回動すると、第２可動部センサ５４が第２可動部５２ｃを検出する。第２可動部５２ｃを検出すると第２可動部センサ５４はＣＰＵ６１に第２可動部検出信号を出力する。第１及び第２メダルセンサ４２ａ、４２ｂがそれぞれメダル２９を検出するとメダル検出信号をＣＰＵ６１に出力する。第２可動部検出信号及びメダル検出信号が、予め定められた順番でメダル２９の通過に要する時間内にＣＰＵ６１に入力されると、メダルカウンタ６４によって１枚のメダル２９が投入されたとカウントされる。カウントされたメダル２９の枚数はクレジット枚数表示装置６７によってクレジット枚数表示窓１３に表示される。
【００５１】
メダル投入口２０から赤外光ＬＥＤを搭載したフレキシブル基板（不図示）をメダル投入口２０から挿入して第１メダル通路４４内で赤外光ＬＥＤを発光させた場合、第２可動部センサ５４は第１メダル通路４４の壁部４４ｄの裏面部４４ｇに設置されており、さらに、貫通孔４４ｆが回動片５２と付勢部材５３とにより常に塞がれているため、第１メダル通路４４内で赤外光ＬＥＤから発せられた光は壁部４４ｄ、回動片５２、及び付勢部材５３で完全に遮断される。よって、仮に第１及び第２メダルセンサ４２ａ、４２ｂが第１メダル通路４４内で発せられた光を検出したとしても、第２可動部センサ５４では第１メダル通路４４内で発せられた光が検出されないので、メダル２９のカウントは行われない。つまり、第１及び第２メダルセンサ４２ａ、４２ｂからＣＰＵ６１にメダル検出信号が入力されても、第２可動部センサ５４からＣＰＵ６１に第２可動部検出信号が入力されないので、メダルカウンタ６４は作動されない。このようにして第１メダル通路４４内に発光体を侵入させてその発光体を発光させることで、あたかもメダル２９が第１メダル通路４４を通過したかのようにメダルセンサを誤認識させるといった不正行為を確実に防止することができる。
【００５２】
図７のフローチャートに示すように、メダル投入口２０からメダル２９が投入されると、第２可動部センサ５４がＯＮとなり、第２可動部センサ５４から第２可動部検出信号が出力される。第２可動部センサ５４から第２可動部検出信号が出力され続けている間、ＣＰＵ６１はタイマ６６に計時を行わせる。ＣＰＵ６１は、タイマ６６による継続時間と予め定められた時間との比較を行い、タイマ６６による継続時間が予め定められた時間を経過したか否かを判定する。タイマ６６による継続時間が予め定められた時間を経過しなかった場合、ＣＰＵ６１は正規のメダル２９であると判定し、タイマ６６の計時を停止するとともにタイマ６６をリセットする。タイマ６６による継続時間が予め定められた時間を経過した場合、ＣＰＵ６１は第１メダル通路４４に不正行為を行うための道具が挿入されている可能性があると判定し、スピーカ２４から警告音を発生させ、エラ−コード表示装置６８から不正行為が行われている可能性があることを報知するエラーコードをエラー表示窓１４を通して表示させる。さらに、遊技を強制的に中止させる。なお、筺体１０ａの奥に設置されているリセットボタンを操作することにより、遊技が有効化され、再び遊技を行うことができるようになる。
【００５３】
このように、第２可動部センサ５４によって第２可動部５２ｃが検出されている時間を計測し、この時間が予め定められた時間を経過したか否かを判定することにより、メダル投入口２０から投入されたものが正規のメダル２９であるか、あるいは第１メダル通路４４内に正規のメダル２９以外のもの、例えば、セルロイド板や、上述したフレキシブル基板などの不正行為に用いられる道具であるかを判別できるようにし、正規のメダル２９以外のものであった場合には報知するようにしたので、メダル投入口２０からセルロイド板や上述したフレキシブル基板などを挿入して行う不正行為を確実に防止することができる。
【００５４】
上記実施形態では、第１メダル通路４４の壁部４４ｄの裏面部４４ｇに第２可動部センサ５４を設置したが、台座部４４ｃに回動片を設け、台座部４４ｃの裏面部に第２可動部センサ５４を設置しても良く、第２可動部センサ５４は、第１メダル通路４４内で発せられた光が届かない位置に設けられていれば良い。
【００５５】
上記実施形態では、第２可動部センサ５４を１つ設けたが、これに限ることなく、第２可動部センサ５４を第１メダル通路４４の上流側から下流側にかけた方向や、メダル２９が第１メダル通路４４を流下する方向と直交する方向に複数設けても良い。例えば、図８に示すように、壁部４４ｄに形成されている貫通孔４４ｆの真下に貫通孔４４ｆと同様の貫通孔ｈを形成し、貫通孔ｈから回動片５２と同様の構成をした回動片７２の第１可動部７２ａを突出させる。壁部４４ｄの裏面部４４ｇに、回動片７２の第１可動部７２ａの回動に伴って回動する回動片７２の第２可動部（不図示）を検出する第２可動部センサ（不図示）を設ける。これにより、メダル投入口２０からセルロイド板を挿入して、セルロイド板を第１メダル通路４４内で動かして各センサを誤認識させるといった行為を行おうとした場合には、第１及び第２メダルセンサ４２ａ、４２ｂを誤認識させる操作に加え、回動片５２、７２を動かし、２つの第２可動部センサを誤認識させる操作を行わなければならず、セルロイド板の操作が非常に複雑になる。よって、セルロイド板を動かすことにより各センサを誤認識させるといった不正行為を抑止することができる。
【００５６】
上記実施形態では、回動片５２を回動させることで第１メダル通路４４を流下するメダル２９や、セルロイド板などのメダル２９以外の異物を検出し、また、回動片５２と付勢部材５３とで貫通孔４４ｆを塞ぐようにしたが、図９に示すように、貫通孔４４ｆを常に塞ぎ、且つメダル２９が接触することにより貫通孔４４ｆ内で上下に移動する移動部材７３を用いても良い。以下、移動部材７３を用いた第２の実施形態を図９を参照しながら説明する。上記実施形態のものと同様の構成部材には同一の符号を付し、その詳細な説明は省略する。
【００５７】
壁部４４ｄには貫通孔４４ｉが形成されている。壁部４４ｄの裏面部４４ｇ側の面には、移動部材７３を支持するための支持板７４が貫通孔４４ｉを覆うように固着されている。支持板７４には後述する移動部材７３の軸部７３ｂが挿通される軸孔７４ａが形成されている。移動部材７３は第１可動部７３ａと、軸部７３ｂと、第２可動部７３ｃとから構成されている。軸部７３ｂの一端には第２可動部７３ｃが一体に形成されている。軸部７ｂの他端には第１可動部７３ａが後付けされる。
【００５８】
第２可動部７３ｃはアルミニウム製の反射板７３ｄと、この反射板７３ｄの外周に形成されたフランジ７３ｅとから構成されている。裏面部４４ｇ側から軸部７３ｂが軸孔７４ａに挿通されるとフランジ７３ｅが支持板７４で係止され、第２可動部７３ｃが裏面部４４ｇに、軸部７３ｂが貫通孔４４ｉ内に保持される状態となる。軸孔７４ａからメダル２９が通過する第１メダル通路４４内部側へと突出する軸部７３ｂにはコイルバネ７５が挿入される。
【００５９】
第１可動部７３ａは貫通孔４４ｉよりもやや小さく形成されており、断面が台形状になっている。第１可動部７３ａは、第１可動部７３ａの傾斜面７３ｆが貫通孔４４ｉから第１メダル通路４４内を流下するメダルと対向して突出するように、軸部７３ｂの第１メダル通路４４側の端部に固着される。第１可動部７３ａが軸部７３ｂに取り付けられると貫通孔４４ｉは第１可動部７３ａによって塞がれる。コイルバネ７５は支持板７４と第１可動部７３ａとで貫通孔４４ｉに閉じ込められた状態となる。このように構成されることで、第１可動部７３ａは、第１メダル通路４４を流下するメダル２９と接触する第１位置と、第１位置から貫通孔４４ｉ内に退避する第２位置との間で移動自在となる。第１可動部７３ａの移動に伴って第２可動部７３ｃも移動する。
【００６０】
メダル２９が第１メダル通路４４を通過する際に、第１可動部７３ａに接触すると、第１可動部７３ａは、コイルバネ７５から受ける付勢に抗して貫通孔４４ｉの縁に摺接しながら第１位置から第２位置（図中矢印α方向）に移動する。第１可動部７３ａが第１位置から第２位置に移動すると、この移動に伴って第２可動部７３ｃは裏面部４４ｇ方向に移動し、反射板７３ｄで裏面部４４ｇに設置されている第２可動部センサ５４の投光部から発せられている光を反射する。第２可動部センサ５４の受光部が反射板７３ｄで反射した光を受光するとＯＦＦ状態にあった第２可動部センサ５４がＯＮ状態になる。メダル２９が、第１メダル通路４４の移動部材７３が設置されている箇所を通過し終わると、コイルバネ７５の付勢力を受けて第１可動部７３ａが第２位置から第１位置（矢印α方向とは反対方向）に、第２可動部７３ｃは第１メダル通路４４の内部側の方向に移動する。これにより、反射板７３ｄで遮蔽されていた第２可動部センサ５４の投光部の光路が開放され、ＯＮ状態にあった第２可動部センサ５４がＯＦＦ状態となる。
【００６１】
また、第１可動部７３ａが常に貫通孔４４ｉを塞いでいるので、第１メダル通路４４内にＬＥＤなどの発光体を侵入させて、その発光体を発光させても光が壁部４４ｄや第１可動部７３ａで遮断されるので、裏面部４４ｇに設置されている第２可動部センサ５４を誤認識させるといった不正行為を行うことができなくなる。また、上述したメダル検出装置を用いた場合、第１の実施形態の構成と置換したり、または組み合わせたりすることができる。
【００６２】
上記実施形態では、振分装置４１のソレノイドの励磁作用を断つことで、メダル２９を第１メダル通路４４から脱落させるようにしたが、メダル２９の流下する方向と直交する方向に遮断部材を出没自在に設け、メダル２９を貯留タンク２８へ案内させることを遮断部材によって禁止するようにしても良い。遮断部材は、振分装置４１のソレノイドと同期して駆動するように制御されているソレノイドの駆動鉄芯で構成することが好ましい。この場合、遮断部材として機能する駆動鉄芯を備えたソレノイドを裏面部４４ｇに設け、ソレノイドの励磁作用とバネの復元力によって、駆動鉄芯が壁部４４ｄを介して裏面部４４ｇと第１メダル通路４４内との間で移動自在となるように構成する。このように構成することで、振分装置４１によって第１メダル通路４４から脱落させることができなかったメダル２９を駆動鉄芯に衝突させ、第１メダル通路４４から確実に脱落させることができるようになる。なお、回動片５２や移動部材７３の可動を禁止して保持する保持機構を設けて、検知センサをブロッカーとして機能させるようにしても良い。
【図面の簡単な説明】
【００６３】
【図１】第１の実施形態であるスロットマシンの外観を示す斜視図である。
【図２】スロットマシンの内部を示す斜視図である。
【図３】メダルセレクタの構成を示す斜視図である。
【図４】回動片が第１位置にあるときの第１メダル通路を示す断面図である。
【図５】回動片が第２位置にあるときの第１メダル通路を示す断面図である。
【図６】スロットマシンの電気的構成を示すブロック図である。
【図７】メダルが投入されたときの処理を行う手順を示すフローチャートである。
【図８】回動片を２つ設けたときのメダルセレクタを示す斜視図である。
【図９】第２の実施形態を示す第１メダル通路の断面図である。
【図１０】メダルが連なって流下している状態を示す第１メダル通路の断面図である。
【符号の説明】
【００６４】
１０  スロットマシン（遊技機）
２０  メダル投入口
２８  貯留タンク
２９  メダル
４４  第１メダル通路（案内通路）
４４ｃ  台座部
４４ｄ  壁部
４４ｆ、４４ｈ、４４ｉ  貫通孔（孔部）
４４ｇ  裏面部
４２  メダル通過検出センサ（メダル検出手段）
５２、７２  回動片（移動部材）
５２ｂ、７３ａ  第１可動部
５２ｃ、７３ｃ  第２可動部
５３  付勢部材
５４  第２可動部センサ（第２可動部検出手段）
７３  移動部材
【図１】
2005270123.tif 000003
【図２】
2005270123.tif 000004
【図３】
2005270123.tif 000005
【図４】
2005270123.tif 000006
【図５】
2005270123.tif 000007
【図６】
2005270123.tif 000008
【図７】
2005270123.tif 000009
【図８】
2005270123.tif 000010
【図９】
2005270123.tif 000011
【図１０】
2005270123.tif 000012